(57)【要約】【課題】  構造を簡略化しつつ、正確な気温の測定が可能でありながら、コストを抑えることが可能な強制通風筒式温度計を提供することにある。【解決手段】  円筒状の通風管と、通風管の内部に設けられた温度センサと、通風管の上端開口に設けられたファンとを有する通風モジュールと、通風管の外周と所定の間隔をおいて覆う断熱材製の外部断熱部と、ファンを駆動したり温度センサの情報を収集する電気モジュールとを備え、通風モジュールが、着脱自在であることを特徴とする。【選択図】図１
2018031615.tif 000002
【特許請求の範囲】
【請求項１】
気温を測定するための強制通風筒式温度計において、
円筒状の通風管と、該通風管の内部に設けられた温度センサと、該通風管の上端開口に設けられたファンとを有する通風モジュールと、
該通風管の外周と所定の間隔をおいて覆う断熱材製の外部断熱部と、
該ファンを駆動したり該温度センサの情報を収集する電気モジュールとを備え、
該通風モジュールが、着脱自在であることを特徴とする強制通風筒式温度計。
【請求項２】
前記通風管が、紙管でなることを特徴とする請求項１記載の強制通風筒式温度計。
【請求項３】
前記外部断熱部の断熱材が、発泡ウレタン樹脂であることを特徴とする請求項１又は請求項２記載の強制通風筒式温度計。
【請求項４】
前記外部断熱部の外周が、高反射材で覆われていることを特徴とする請求項１〜請求項３のいずれかに記載の強制通風筒式温度計。
【請求項５】
前記外部断熱部の外周の高反射材が、アルミ箔であることを特徴とする請求項４記載の強制通風筒式温度計。
【請求項６】
前記電気モジュールが、前記温度センサが計測した温度を外部に送信する送信手段を有することを特徴とする請求項１〜請求項５のいずれかに記載の強制通風筒式温度計。
【請求項７】
前記通風モジュールの通風管を通過した空気が、前記外部断熱部と該通風管との間に流入しないように、該通風管の上端開口と該外部断熱部の上端開口との間に、隔壁を有することを特徴とする請求項１〜請求項６のいずれかに記載の強制通風筒式温度計。
【発明の詳細な説明】
【技術分野】
【０００１】
本発明は、気温を測定するための強制通風筒式温度計に関する。
【背景技術】
【０００２】
従来より、気温をより正確に測定するために、日射や風雨の影響を遮蔽する様々な気象観測用の強制通風筒式温度計が考案されている。例えば、特許文献１の通風式温度及び湿度測定装置がある。
【０００３】
特許文献１の通風式温度及び湿度測定装置は、上部筒体及び上部筒体の下方側に可及的密に嵌挿されて組立て・分割可能な下部筒体からなる通風筒と、上部筒体内に設けられる支持ブラケットと、支持ブラケットに個々に取付けられて下部筒体内にそれぞれ吊下される温度検出素子及び湿度検出素子と、通風筒の上部に配置され、通風筒の下部側から周辺大気を吸引して上部側の外周囲に排気する送風器とを備えている。
【先行技術文献】
【特許文献】
【０００４】
【特許文献１】特開平１０−９００７４号公報
【発明の概要】
【発明が解決しようとする課題】
【０００５】
しかしながら、従来の強制通風筒式温度計は、構造が複雑でまた全体が金属製であったりして、コストを抑えることができないという課題があった。
【０００６】
本発明は、このような事情に鑑みてなされたもので、構造を簡略化しつつ、正確な気温の測定が可能でありながら、コストを抑えることが可能な強制通風筒式温度計を提供することにある。
【課題を解決するための手段】
【０００７】
請求項１記載の強制通風筒式温度計は、円筒状の通風管と、通風管の内部に設けられた温度センサと、通風管の上端開口に設けられたファンとを有する通風モジュールと、通風管の外周と所定の間隔をおいて覆う断熱材製の外部断熱部と、ファンを駆動したり温度センサの情報を収集する電気モジュールとを備え、通風モジュールが、着脱自在であることを特徴とする。
【０００８】
請求項２記載の強制通風筒式温度計は、通風管が、紙管でなることを特徴とする。
【０００９】
請求項３記載の強制通風筒式温度計は、外部断熱部の断熱材が、発泡ウレタン樹脂であることを特徴とする。
【００１０】
請求項４記載の強制通風筒式温度計は、外部断熱部の外周が、高反射材で覆われていることを特徴とする。
【００１１】
請求項５記載の強制通風筒式温度計は、外部断熱部の外周の高反射材が、アルミ箔であることを特徴とする。
【００１２】
請求項６記載の強制通風筒式温度計は、電気モジュールが、温度センサが計測した温度を外部に送信する送信手段を有することを特徴とする。
【００１３】
請求項７記載の強制通風筒式温度計は、通風モジュールの通風管を通過した空気が、外部断熱部と通風管との間に流入しないように、通風管の上端開口と外部断熱部の上端開口との間に、隔壁を有することを特徴とする。
【発明の効果】
【００１４】
本願発明によれば、構造を簡略化しつつ、通風モジュールの通風管に紙管を用いたり、断熱材として発泡ウレタン樹脂を用いたりすることで、正確な気温の測定が可能でありながら、コストを抑えることが可能である。
【図面の簡単な説明】
【００１５】
【図１】本発明に係る強制通風筒式温度計の外観の一例を示す説明図である。
【図２】同強制通風筒式温度計の構成の一例を示す説明図である。
【図３】同強制通風筒式温度計の動作の一例を示す説明図である。
【発明を実施するための形態】
【００１６】
以下、本発明の形態について図面を参照しながら具体的に説明する。図１は、本発明に係る強制通風筒式温度計の外観の一例を示す説明図である。図２は、同強制通風筒式温度計の構成の一例を示す説明図である。図３は、同強制通風筒式温度計の動作の一例を示す説明図である。
【００１７】
本発明に係る強制通風筒式温度計１は、気温を測定するためのもので、特に、農業用のビニルハウス内等の気温の測定が困難な場所で、気温を正確に測定することを目的とするものである。強制通風筒式温度計１は、通風モジュール１０と、外部断熱部２０と、電気モジュール３２等から構成されている。
【００１８】
通風モジュール１０は、円筒状で紙管からなる通風管１２と、通風管１２の内部に設けられた温度センサ１８と、通風管１２の上端開口１２ｃに設けられたファン１６とを有する。温度センサ１８は、後述する電気モジュール３２に接続され、通風管１２の内部１２ｂの温度を、電気モジュール３２に伝える。尚、本願においては、温度センサ１８は、単に温度を測定するものの他、湿度を測定できるものも広く温度センサ１８と呼ぶものとする。ファン１６は、電気式のもので、電気モジュール３２から電源の供給を受けて回転する。ファン１６は、通風管１２の内部１２ｂの空気を吸い上げ、通風管１２の上端開口１２ｃから空気をはき出すように動作する。
【００１９】
外部断熱部２０は、通風管１２の外周と所定の間隔をおいて覆う断熱材２２製のものである。すなわち、外部断熱部２０は、所定の厚みのある断熱材２２を円筒形にしたもので、内部２０ｂに通風管１２を収容可能なものである。外部断熱部２０と通風管１２との間には隙間Ｓがあるが、外部断熱部２０の内部２０ｂで通風管１２が不必要に動かないように、外部断熱部２０の下方の外部断熱部２０の内部２０ｂと通風管１２の外周との間に、スペーサ２６が設けられている。
【００２０】
尚、外部断熱部２０の断熱材２２は、強制通風筒式温度計１を設置する場所の日射熱等の本来測定したい気温の測定に影響を及ぼす熱を遮断できる材質で良く、例えば発泡スチロール等を用いることができるが、特に、発泡ウレタン樹脂が望ましい。外部断熱部２０の断熱材２２は、特に具体的には、発泡ウレタンパイプが使いやすく好ましい。さらに、強制通風筒式温度計１を設置する場所の日射熱等の本来測定したい気温の測定に影響を及ぼす日射の影響を軽減させるために、外部断熱部２０の外周を、高反射材２４で覆うことが有効である。この高反射材２４としては、特に、アルミ泊が好ましい。
【００２１】
電気モジュール３２は、ファン１６を駆動したり温度センサ１８の情報を収集するための電気回路で構成され、電源は、例えば、ＡＣ電源アダプタ３６から供給される。電気モジュール３２は、温度センサ１８で測定した温度や湿度の情報を、内部に蓄積し、必要に応じて取り出す方式や、有線や無線で外部の電子機器に接続して適時又は随時、情報を取り出す送信手段を設ける方式等がある。無線の送信手段としては、例えば、ＩＥＥＥ  ８０２．１１の方式等があり、無線にすることで、強制通風筒式温度計１と外部の機器との接続に自由度が増し、気温の測定場所を任意に定めやすくなる。
【００２２】
電気モジュール３２は、外部断熱部２０の上端開口２０ｃ及び断熱材２２の上端２２ａを覆う上部カバー３０の内部に収納されている。上部カバー３０は、上部には、強制通風筒式温度計１を設置するためのフック３４が設けられ、また、側面には、通風管１２を通過した空気を外に出すための吹出口３０ａが穿設されている。
【００２３】
尚、通風モジュール１０は、強制通風筒式温度計１の全体に対して着脱自在になっており、通風モジュール１０の紙管製の通風管１２等が傷んだ場合には、通風モジュール１０毎交換することが可能な構造になっている。尚、通風管１２の材質としては、コストや加工のしやすさ等の観点で紙管が好ましいが、紙管に限られるものではなく、廉価な塩ビ管等を用いることも可能である。
【００２４】
より具体的な構造としては、通風管１２の上端開口１２ｃの周囲に、外周方向に突出する板材状の鍔材１４を設け、通風モジュール１０を外部断熱部２０の内部２０ｂに挿入した状態で、この鍔材１４が、外部断熱部２０の断熱材２２の上端２２ａに当接した状態で、通風モジュール１０が外部断熱部２０と上述の所定位置関係で配置されることになる。そして、通風モジュール１０のファン１６や温度センサ１８の配線を電気モジュール３２に接続して、上部カバー３０を外部断熱部２０の上方に被せるようにすればよい。逆に、通風モジュール１０を、強制通風筒式温度計１から取り除く場合には、上部カバー３０を外部断熱部２０から取り外し、電気モジュール３２とファン１６や温度センサ１８との間に配線を外した後、外部断熱部２０から通風モジュール１０を抜き取るようにすればよい。
【００２５】
以上のような構造の強制通風筒式温度計１の動作としては、農業用のビニルハウス内等の気温の測定を行いたい場所に、強制通風筒式温度計１を配置し、電気モジュール３２に電源を投入する。すると、ファン１６が回ることにより、通風モジュール１０の通風管１２の下端開口１２ａから空気が吸い込まれ、通風管１２に吸い込まれた空気が、温度センサ１８がある通風管１２の内部１２ｂを通過し、通風管１２の上端開口１２ｃから抜け出て、上部カバー３０の吹出口３０ａから、強制通風筒式温度計１の外部に抜け出る。その間、通風管１２の内部１２ｂを抜ける空気の温度や湿度を、温度センサ１８が測定し、その情報を電気モジュール３２に送り、電気モジュール３２が強制通風筒式温度計１の外部に情報を送ることになる。
【００２６】
以上のような構造及び動作の強制通風筒式温度計１によれば、構造を簡略化しつつ、通風モジュール１０の通風管１２に紙管を用いたり、断熱材２２として発泡ウレタン樹脂を用いたりすることで、コストを抑えることが可能である。また、通風管１２に紙管を用いたり、断熱材２２として発泡ウレタン樹脂を用いたりすることで、金属製のものに比べ軽量化でき、設置のための特別な工事も不要である。さらに、外部断熱部２０の断熱材２２に発泡ウレタン樹脂を用いたり、外部断熱部２０の外周に高反射材２４を配置したり、外部断熱部２０と通風管１２との間に隙間Ｓを設けることで、強制通風筒式温度計１を設置する場所の日射熱等の本来測定したい気温の測定に影響を及ぼす熱等を遮断することができ、より正確な気温や湿度の測定を可能にしている。
【００２７】
また、通風モジュール１０の通風管１２に紙管や廉価な塩ビ管等を用いることでコストを抑えることができる。他方、紙管製だと通風モジュール１０自体が劣化しやすいが、通風モジュール１０を強制通風筒式温度計１から着脱自在にし、通風モジュール１０を新しいものと交換できるようにすることで、劣化しやすい課題を解決している。
【００２８】
さらに、図３に示すように、通風モジュール１０の鍔材１４が、通風管１２の上端開口１２ｃと外部断熱部２０の上端開口２０ｃとの間にあって、通風モジュール１０の通風管１２を通過した空気を外部断熱部２０と通風管１２との間に流入しないようにする隔壁として機能することで、より正確な気温や湿度の測定が可能になる。
【００２９】
尚、電気モジュール３２は、外部断熱部２０の上端開口２０ｃ及び断熱材２２の上端２２ａを覆う上部カバー３０の内部に収納されているが、この電気モジュール３２の位置は、通風モジュール１０のファン１６の真上に位置し、この位置だとファン１６の風が直接電気モジュール３２に当たってしまい結露等の心配があるので、電気モジュール３２の下方は、保護カバー３０ｂで覆われて保護されている。
【産業上の利用可能性】
【００３０】
以上のように、本発明によれば、構造を簡略化しつつ、正確な気温の測定が可能でありながら、コストを抑えることが可能な強制通風筒式温度計を提供することができる。
【符号の説明】
【００３１】
１・・・・・強制通風筒式温度計
１０・・・・通風モジュール
１２・・・・通風管
１２ａ・・・下端開口
１２ｂ・・・内部
１２ｃ・・・上端開口
１４・・・・鍔材
１６・・・・ファン
１８・・・・温度センサ
２０・・・・外部断熱部
２０ａ・・・下端開口
２０ｂ・・・内部
２０ｃ・・・上端開口
２２・・・・断熱材
２２ａ・・・上端
２４・・・・高反射材
２６・・・・スペーサ
３０・・・・上部カバー
３０ａ・・・吹出口
３０ｂ・・・保護カバー
３２・・・・電気モジュール
３４・・・・フック
３６・・・・ＡＣ電源アダプタ
【図１】
2018031615.tif 000003
【図２】
2018031615.tif 000004
【図３】
2018031615.tif 000005